(57)【要約】【課題】有益な情報を検索して利用者に配信する情報配信装置を提供する。【解決手段】情報配信装置１０は、情報提供装置２０から複数の情報を取得し、その情報の重要度や要求度に基づいて配信情報を生成してユーザへ提供する。重要度設定部１２は、各情報に重要度データが含まれている場合にはその重要度データに基づいて重要度を決定し、重要度データが含まれていない場合には、その情報を提供する情報提供装置におけるその情報に対するアクセス状況に基づいて、または、その情報と同じ内容の情報についての複数の情報提供装置における登録数に基づいて、重要度を決定する。要求度設定部１４は、各情報のジャンルに基づいて、または、各情報に含まれるキーワードに基づいて、その情報に対するその利用者の要求度を設定する。【選択図】図１
2005242882.tif 000002
【特許請求の範囲】
【請求項１】
複数の情報から生成される配信情報を利用者に配信する情報配信装置において、
各情報の利用状況からその情報に対する重要度を設定する重要度設定部と、
利用者の関心事項を示した利用者プロファイルに基づいて、各情報に対するその利用者の要求度を設定する要求度設定部と、
各情報の重要度およびその情報に対する利用者の要求度に基づいて、その情報をその利用者の配信情報に含めるか否かを判断して配信情報を生成する配信情報生成部と、
を有する、
ことを特徴とする情報配信装置。
【請求項２】
請求項１に記載の情報配信装置において、
複数の情報提供装置から複数の情報を取得する情報取得部をさらに有し、
前記重要度設定部は、各情報を提供する情報提供装置におけるその情報に対するアクセス状況に基づいて前記重要度を設定する、
ことを特徴とする情報配信装置。
【請求項３】
請求項１に記載の情報配信装置において、
複数の情報提供装置から複数の情報を取得する情報取得部をさらに有し、
前記重要度設定部は、対象となる情報と同じ内容の情報についての前記複数の情報提供装置における登録数に基づいて、前記対象となる情報の重要度を設定する、
ことを特徴とする情報配信装置。
【請求項４】
請求項１に記載の情報配信装置において、
前記要求度設定部は、前記各情報のジャンルおよび利用者プロファイルに示されたジャンルごとの優先度に基づいて、その情報に対するその利用者の要求度を設定する、
ことを特徴とする情報配信装置。
【請求項５】
請求項１に記載の情報配信装置において、
前記要求度設定部は、前記各情報に含まれるキーワードおよび利用者プロファイルに示されたキーワードごとの優先度に基づいて、その情報に対するその利用者の要求度を設定する、
ことを特徴とする情報配信装置。
【請求項６】
請求項５に記載の情報配信装置において、
前記要求度設定部は、前記各情報の記事内容における前記キーワードの役割に基づいて前記要求度を設定する、
ことを特徴とする情報配信装置。
【請求項７】
複数の情報から生成される配信情報を利用者に配信する情報配信装置において、
各情報の利用状況からその情報に対する重要度を設定する重要度設定部と、
各情報の重要度に基づいてその情報を配信情報に含めるか否かを判断して配信情報を生成する配信情報生成部と、
を有し、
前記重要度設定部は、各情報に重要度データが含まれている場合にはその重要度データに基づいて重要度を設定し、重要度データが含まれていない場合には、その情報を提供する情報提供装置におけるその情報に対するアクセス状況に基づいて、または、その情報と同じ内容の情報についての複数の情報提供装置における登録数に基づいて、重要度を設定する、
ことを特徴とする情報配信装置。
【請求項８】
複数の情報から生成される配信情報を利用者に配信する情報配信装置において、
利用者の関心事項を示した利用者プロファイルに基づいて、各情報に対するその利用者の要求度を設定する要求度設定部と、
各情報に対する利用者の要求度に基づいて、その情報をその利用者の配信情報に含めるか否かを判断して配信情報を生成する配信情報生成部と、
を有し、
前記要求度設定部は、前記各情報のジャンルおよび利用者プロファイルに示されたジャンルごとの優先度に基づいて、または、前記各情報に含まれるキーワードおよび利用者プロファイルに示されたキーワードごとの優先度に基づいて、その情報に対するその利用者の要求度を設定する、
ことを特徴とする情報配信装置。
【請求項９】
複数の利用者端末、複数の情報提供装置および情報配信装置が互いにネットワーク接続された情報配信システムにおいて、
前記情報配信装置は、
複数の情報提供装置から取得される各情報の利用状況からその情報に対する重要度を設定する重要度設定部と、
利用者の関心事項を示した利用者プロファイルに基づいて、各情報に対するその利用者の要求度を設定する要求度設定部と、
各情報の重要度およびその情報に対する利用者の要求度に基づいて、その情報をその利用者の配信情報に含めるか否かを判断して配信情報を生成し、生成した配信情報をその利用者の利用者端末へ配信する配信情報生成部と、
を有する、
ことを特徴とする情報配信システム。
【請求項１０】
複数の情報から生成される配信情報を利用者に配信するための処理をコンピュータに実行させるプログラムにおいて、
各情報の利用状況からその情報に対する重要度を設定する手順、
利用者の関心事項を示した利用者プロファイルに基づいて、各情報に対するその利用者の要求度を設定する手順、
各情報の重要度およびその情報に対する利用者の要求度に基づいて、その情報をその利用者の配信情報に含めるか否かを判断して配信情報を生成する手順、
をコンピュータに実行させることを特徴とするプログラム。
【発明の詳細な説明】
【技術分野】
【０００１】
本発明は、複数の情報から生成される配信情報を利用者に配信する情報配信装置に関する。
【背景技術】
【０００２】
多くの情報（文書など）の中から目的の情報を取得するために検索が行われる。検索の一例として、利用者が選択したキーワードの一部または全部を含む文書を抽出することが挙げられる。キーワードによる検索の場合、検索で目的の文書が見つかる頻度（検索結果に対する満足度）は、利用者が選択したキーワードの一般性や、目的とする領域に対する利用者の理解力などの様々な要因により影響を受ける。
【０００３】
今日、ＷＥＢインフラ上に散在する情報や電子化された新聞や出版物など、検索可能な情報が増え、利用者の選択の幅が広がっている。その反面、目的としない文書数も増えてしまい、目的とする文書がそれ以外の文書に埋没しているのが事実である。
【０００４】
このような状況のもと、複数の情報の中から目的とする情報を取得する様々な技術が提案されている（例えば、下記特許文献参照）。
【０００５】
【特許文献１】特開２００２−２１５７３２号公報
【特許文献２】特開平１１−４５２６５号公報
【発明の開示】
【発明が解決しようとする課題】
【０００６】
一般に、複数の情報の中から目的とする情報を取得する際には以下のような問題がある。電子化された情報は、それぞれが異なる読者を対象としているため、利用者の特徴（利用言語、年齢、身体的特徴、理解能力等）に適した文書とは限らない。そのため、例えばキーワードによる検索である情報が検索できたとしても、必ずしもその情報がその利用者の知識として利用できる有益な情報とは限らない。
【０００７】
そこで、本発明は、有益な情報を検索して利用者に配信する情報配信装置を提供することを目的とする。
【課題を解決するための手段】
【０００８】
上記目的を達成するために、本発明の好適な態様である情報配信装置は、複数の情報から生成される配信情報を利用者に配信する情報配信装置において、各情報の利用状況からその情報に対する重要度を設定する重要度設定部と、利用者の関心事項を示した利用者プロファイルに基づいて、各情報に対するその利用者の要求度を設定する要求度設定部と、各情報の重要度およびその情報に対する利用者の要求度に基づいて、その情報をその利用者の配信情報に含めるか否かを判断して配信情報を生成する配信情報生成部と、を有することを特徴とする。
【０００９】
この構成によれば、情報の重要度およびその情報に対する利用者の要求度に応じてその情報を配信情報に含めるか否かを判断しているため、有益な情報を検索して利用者に配信することができる。
【００１０】
望ましくは、複数の情報提供装置から複数の情報を取得する情報取得部をさらに有し、前記重要度設定部は、各情報を提供する情報提供装置におけるその情報に対するアクセス状況に基づいて前記重要度を設定する、ことを特徴とする。望ましくは、複数の情報提供装置から複数の情報を取得する情報取得部をさらに有し、前記重要度設定部は、対象となる情報と同じ内容の情報についての前記複数の情報提供装置における登録数に基づいて、前記対象となる情報の重要度を設定する、ことを特徴とする。
【００１１】
望ましくは、前記要求度設定部は、前記各情報のジャンルおよび利用者プロファイルに示されたジャンルごとの優先度に基づいて、その情報に対するその利用者の要求度を設定する、ことを特徴とする。望ましくは、前記要求度設定部は、前記各情報に含まれるキーワードおよび利用者プロファイルに示されたキーワードごとの優先度に基づいて、その情報に対するその利用者の要求度を設定する、ことを特徴とする。望ましくは、前記要求度設定部は、前記各情報の記事内容における前記キーワードの役割に基づいて前記要求度を設定する、ことを特徴とする。
【００１２】
また、上記目的を達成するために、本発明の好適な態様である情報配信装置は、複数の情報から生成される配信情報を利用者に配信する情報配信装置において、各情報の利用状況からその情報に対する重要度を設定する重要度設定部と、各情報の重要度に基づいてその情報を配信情報に含めるか否かを判断して配信情報を生成する配信情報生成部と、を有し、前記重要度設定部は、各情報に重要度データが含まれている場合にはその重要度データに基づいて重要度を設定し、重要度データが含まれていない場合には、その情報を提供する情報提供装置におけるその情報に対するアクセス状況に基づいて、または、その情報と同じ内容の情報についての複数の情報提供装置における登録数に基づいて、重要度を設置する、ことを特徴とする。
【００１３】
また、上記目的を達成するために、本発明の好適な態様である情報配信装置は、複数の情報から生成される配信情報を利用者に配信する情報配信装置において、利用者の関心事項を示した利用者プロファイルに基づいて、各情報に対するその利用者の要求度を設定する要求度設定部と、各情報に対する利用者の要求度に基づいて、その情報をその利用者の配信情報に含めるか否かを判断して配信情報を生成する配信情報生成部と、を有し、前記要求度設定部は、前記各情報のジャンルおよび利用者プロファイルに示されたジャンルごとの優先度に基づいて、または、前記各情報に含まれるキーワードおよび利用者プロファイルに示されたキーワードごとの優先度に基づいて、その情報に対するその利用者の要求度を設定する、ことを特徴とする。
【００１４】
また、上記目的を達成するために、本発明の好適な態様である情報配信システムは、複数の利用者端末、複数の情報提供装置および情報配信装置が互いにネットワーク接続された情報配信システムにおいて、前記情報配信装置は、複数の情報提供装置から取得される各情報の利用状況からその情報に対する重要度を設定する重要度設定部と、利用者の関心事項を示した利用者プロファイルに基づいて、各情報に対するその利用者の要求度を設定する要求度設定部と、各情報の重要度およびその情報に対する利用者の要求度に基づいて、その情報をその利用者の配信情報に含めるか否かを判断して配信情報を生成し、生成した配信情報をその利用者の利用者端末へ配信する配信情報生成部と、を有することを特徴とする情報配信システム。
【００１５】
また、上記目的を達成するために、本発明の好適な態様であるプログラムは、複数の情報から生成される配信情報を利用者に配信するための処理をコンピュータに実行させるプログラムにおいて、各情報の利用状況からその情報に対する重要度を設定する手順、利用者の関心事項を示した利用者プロファイルに基づいて、各情報に対するその利用者の要求度を設定する手順、各情報の重要度およびその情報に対する利用者の要求度に基づいて、その情報をその利用者の配信情報に含めるか否かを判断して配信情報を生成する手順をコンピュータに実行させることを特徴とする。
【発明の効果】
【００１６】
本発明により、有益な情報を検索して利用者に配信することが可能になる。
【発明を実施するための最良の形態】
【００１７】
以下、本発明の好適な実施形態を図面に基づいて説明する。
【００１８】
図１には、本発明の好適な実施形態が示されており、図１は、情報配信装置を含む情報配信システムの全体構成図である。この情報配信システムは、情報配信装置１０、複数の情報提供装置２０、複数のユーザ端末３０および印刷装置３２が、互いにインターネット５０を介して接続されたシステムである。
【００１９】
情報配信装置１０は、重要度設定部１２、要求度設定部１４および配信情報生成部１６を有しており、複数の情報提供装置２０から提供される複数の情報を取得し、その情報の重要度やその情報に対するユーザの要求度に基づいて配信情報を生成し、ユーザ端末３０あるいは印刷装置３２を介してその配信情報をユーザへ提供する。情報配信装置１０で実行される配信情報生成までの処理については、後に図２から図４を利用して詳述する。
【００２０】
情報提供装置２０は、複数の情報を提供する装置である。ここで情報とは、電子化された新聞記事や出版物などであり、文字はもちろん写真や図などが含まれてもよい。
【００２１】
ユーザ端末３０は、各ユーザが利用するコンピュータなどの端末である。ユーザは、ユーザ端末３０を利用して情報配信装置１０から配信される配信情報を取得する。前述のように、配信情報には複数の情報提供装置２０から提供される複数の情報が含まれており、しかも、これらの情報は、その情報の重要度やその情報に対するユーザの要求度に基づいて選択されるため、ユーザは有益な情報を効率よく取得することができる。
【００２２】
ユーザ端末３０はコンピュータに限定されず、例えば、ＰＤＡ（personal digital assistance）や携帯電話などでもよい。また、ユーザは、例えばコンビニエンスストアなどに設置される印刷装置３２を介して、配信情報を取得してもよい。つまり、ユーザは、印刷装置３２を利用して情報配信装置１０から配信される配信情報を取得し、その配信情報を印刷して情報を取得してもよい。
【００２３】
図２は、情報配信装置（図１の符号１０）で実行される重要度の設定処理を説明するためのフローチャートである。以下、図１に示した部分には図１の符号を付して重要度の設定処理について説明する。
【００２４】
まず、情報配信装置１０は、情報提供装置２０から複数の情報（記事）を取得する（Ｓ２０１）。情報提供装置２０が提供する情報の代表例は、電子化された新聞記事や出版物などの記事である。そこで、情報提供装置２０から提供される情報を単に記事と称する。
【００２５】
記事が取得されると、重要度設定部１２は、取得した記事に重要度データが付されているか否かを調べる（Ｓ２０２）。情報提供装置２０は、特殊な記事に対して重要度データを付しておく。例えば、その記事内容が号外的な記事である場合などに重要度データが付される。重要度データには、その記事の重要度に応じた値が付されてもよい。また、例えば、ＸＭＬで電子化された記事の場合、重要度データは、ＸＭＬ文書内のタグで記述される。
【００２６】
重要度データが付されている場合、重要度設定部１２は、記事に対してその重要度データに応じた重要度を設定する（Ｓ２０６）。一方、重要度データが付されていない場合、重要度設定部１２は、その記事に対するアクセスがあるか否かを調べる（Ｓ２０３）。アクセスがあるか否かは、その記事を提供した情報提供装置２０において、その記事に対する不特定ユーザによるアクセスがあるか否かによって判断される。
【００２７】
アクセスがある場合、重要度設定部１２は、そのアクセス頻度に応じた重要度を設定する（Ｓ２０７）。例えば、アクセス頻度（一日あたりのアクセス数など）が大きい場合には重要度を大きな値に設定し、アクセス頻度が小さい場合には重要度を小さな値に設定する。
【００２８】
一方、アクセスが無い場合、重要度設定部１２は、他の情報提供装置２０にその記事と同じ内容の記事が存在するか否かを調べる（Ｓ２０４）。同じ内容の記事か否かは、記事内の単語の一致数や題名が一致しているか否かなどから判断される。同じ内容の記事が存在する場合、重要度設定部１２は、その登録数に応じた重要度を設定する（Ｓ２０８）。つまり、登録数が多い場合には重要度を大きな値に設定し、登録数が少ない場合には重要度を小さな値に設定する。
【００２９】
同じ内容の記事が存在しない場合、重要度設定部１２は、その記事内容から重要度を設定する（Ｓ２０５）。一般的に、重要な記事の場合、記事の文字数が多く、また、写真などが付されている。そこで、記事に添付される写真の有無や記事の文字数に基づいて、写真が添付されている場合や文字数が多い場合には重要度を大きく設定する。また、その記事の生成時刻から、より新しい記事に対して大きな重要度を設定してもよい。
【００３０】
以上のように、重要度データ、アクセスの有無、同じ内容の記事の有無あるいは記事内容のいずれかの設定基準に基づいてその記事に対する重要度が設定される。もちろん、これら複数の設定基準を組み合わせて重要度を設定してもよい。
【００３１】
なお、重要度の設定は次々に取得される記事の全てに対して実行される。つまり、情報配信装置１０は、Ｓ２０１において、複数の情報提供装置２０が有する記事を次々に取得し、取得した記事ごとにＳ２０２からＳ２０８の処理を実行する。
【００３２】
図３は、情報配信装置（図１の符号１０）で実行される配信情報の生成処理を説明するためのフローチャートである。以下、図１に示した部分には図１の符号を付して配信情報の生成処理について説明する。
【００３３】
まず、配信情報生成部１６は、重要度設定部１２で設定された記事の重要度（Ａ）を取得し（Ｓ３０１）、その重要度（Ａ）が一定値以上か否かを判断する（Ｓ３０２）。重要度（Ａ）が一定値以上の場合、配信情報生成部１６は、その記事を配信情報に設定する（Ｓ３０７）。
【００３４】
一方、重要度（Ａ）が一定値以上では無い場合、要求度設定部１４において、ジャンルごとの優先度から要求度（Ｂ）が設定される（Ｓ３０３）。要求度設定部１４は、予めユーザごとに登録されたユーザプロファイルに示されたジャンルごとの優先度に基づいて、その記事に対するその利用者の要求度（Ｂ）を設定する。
【００３５】
図５は、ユーザプロファイルに示されたジャンルごとの優先度を説明するための図である。図５のユーザプロファイルには、各ジャンルごとに得点が付されている。例えばスポーツに対して９点が付され、また、経済に対して７点が付されている。このように、ユーザは、自分が興味を抱いているジャンルに対して、その興味の度合いに応じて得点（要求度の得点）を付しておき、予め情報配信装置１０に登録しておく。情報配信装置１０は、対象となる記事のジャンルを取得し、取得されたジャンルとユーザプロファイルに示されたジャンルごとの得点から要求度を設定する。
【００３６】
図３に戻り、配信情報生成部１６は、要求度設定部１４で設定された要求度（Ｂ）と記事の重要度（Ａ）から、（Ａ）＋（Ｂ）の値が一定値以上か否かを判断する（Ｓ３０４）。（Ａ）＋（Ｂ）の値が一定値以上の場合、配信情報生成部１６は、その記事を配信情報に設定する（Ｓ３０７）。一方、（Ａ）＋（Ｂ）の値が一定値以上では無い場合、要求度設定部１４において、キーワードごとの優先度から要求度（Ｃ）が設定される（Ｓ３０５）。要求度設定部１４は、ユーザプロファイルに示されたキーワードごとの優先度に基づいて記事に含まれるキーワードからその記事に対する利用者の要求度（Ｃ）を設定する。
【００３７】
図６は、ユーザプロファイルに示されたキーワードごとの優先度を説明するための図である。図６のユーザプロファイルには、ジャンルとしてスポーツに関するキーワードの優先度が示されている。例えば、野球に対して８点が付され、また、サッカーに対して７点が付されている。このように、ユーザが興味を抱いているキーワードに対して、その興味の度合いに応じて得点（要求度の得点）が付されている。もちろん、スポーツ以外のジャンルに対してキーワードの優先度が付されてもよい。情報配信装置１０は、対象となる記事にキーワードが含まれるか否かを検索し、ユーザプロファイルに示されたキーワードごとの得点から要求度を設定する。
【００３８】
図３に戻り、配信情報生成部１６は、要求度設定部１４で設定された要求度（Ｂ）（Ｃ）と記事の重要度（Ａ）から、（Ａ）＋（Ｂ）＋（Ｃ）の値が一定値以上か否かを判断する（Ｓ３０６）。（Ａ）＋（Ｂ）＋（Ｃ）の値が一定値以上の場合、配信情報生成部１６は、その記事を配信情報に設定する（Ｓ３０７）。一方、（Ａ）＋（Ｂ）＋（Ｃ）の値が一定値以上では無い場合、その記事は配信情報に設定されない。
【００３９】
以上のように、重要度および優先度に基づいてその記事を配信情報に含めるか否かが判断される。配信情報に含めるか否かの判断は、次々に取得される複数の記事の各々に対して実行される。そして、情報配信装置１０は、所定の期間内（例えば一日）に取得された記事から配信情報を生成して、その期間ごとにユーザに対して配信情報を提供する。
【００４０】
図３を利用して説明した配信情報の生成処理では、要求度設定部１４において記事に含まれるキーワードから要求度（Ｃ）を設定した。記事内に存在するキーワードは、その記事内における役割に応じてその存在価値が異なる場合が考えられる。例えば、キーワードが題名などに含まれる場合には、文章内に含まれる場合に比べて記事内での存在価値が高く、また、キーワードが主語である場合には、主語以外の場合に比べて存在価値が高いことが予想される。
【００４１】
図８には、同じキーワード「富士太郎」が含まれる二つの記事（記事Ａおよび記事Ｂ）が示されている。記事Ａでは、キーワード「富士太郎」が題名の主語として用いられており、従って、この記事Ａ内において「富士太郎」が重要なキーワードであることが理解できる。一方、記事Ｂでは、キーワード「富士太郎」が文章の末尾に用いられているのみであり、必ずしも、このキーワードが記事Ｂ内において重要なキーワードであるとは限らない。このように、記事内の役割に応じて、そのキーワードの価値が異なる。そこで、要求度設定部１４は、記事内容におけるキーワードの役割に基づいて要求度（Ｃ）に対して重み付け値を加算する。
【００４２】
図４は、要求度設定部（図１の符号１４）で実行される要求度（Ｃ）に対する重み付け処理、つまり、図３のＳ３０５において要求度（Ｃ）を設定する際に実行される重み付け処理を説明するためのフローチャートである。以下、図１に示した部分には図１の符号を付してその重み付け処理について説明する。
【００４３】
まず、要求度設定部１４は、対象となるキーワードが記事の題名の主語であるか否かを判断する（Ｓ４０１）。題名の主語であると判断された場合、要求度設定部１４は、その記事の要求度（Ｃ）に重み付け値である９点を加算する（Ｓ４０６）。なお、題名か否かは、例えば、文字のフォントの大きさや、記事の先頭か否かなどによって判断される。もちろん、記事内に題名であることを示すタグなどが設けられている場合にはそのタグを利用してもよい。
【００４４】
題名の主語ではないと判断された場合、題名の主語以外の単語（非主語）であるか否かを判断する（Ｓ４０２）。題名の非主語であると判断された場合、要求度設定部１４は、その記事の要求度（Ｃ）に重み付け値である７点を加算する（Ｓ４０７）。題名の非主語ではないと判断された場合、文章の前半かつ主語であるか否かを判断する（Ｓ４０３）。文章の前半かつ主語であると判断された場合、要求度設定部１４は、その記事の要求度（Ｃ）に重み付け値である５点を加算する（Ｓ４０８）。
【００４５】
文章の前半かつ主語ではないと判断された場合、文章の前半かつ非主語であるか否かを判断する（Ｓ４０４）。文章の前半かつ非主語であると判断された場合、要求度設定部１４は、その記事の要求度（Ｃ）に重み付け値である３点を加算する（Ｓ４０９）。文章の前半かつ非主語ではないと判断された場合、文章の後半かつ主語であるか否かを判断する（Ｓ４０５）。文章の後半かつ主語であると判断された場合、要求度設定部１４は、その記事の要求度（Ｃ）に重み付け値である４点を加算する（Ｓ４１０）。そして、文章の後半かつ主語ではないと判断された場合、要求度設定部１４は、その記事の要求度（Ｃ）に重み付け値である２点を加算する（Ｓ４１１）。
【００４６】
このように、記事内の役割に応じてそのキーワードの要求度（Ｃ）に対して重み付け値が加算される。要求度（Ｃ）に加算される重み付け値は、そのキーワードの記事内での個数に応じて設定されてもよい。
【００４７】
図７は、キーワードの重み付け値を説明するための図である。つまり、図４のＳ４０６からＳ４１１の各ステップで加算される重み付け値を示している。
【００４８】
図７では、重み付け値が、記事内でのキーワードの個数に応じて設定されている。例えば、キーワードが記事内において３個以下の場合には、題名主語に対して９点（図４のＳ４０６で利用される得点）が割り当てられ、題名非主語に対して７点（図４のＳ４０７で利用される得点）が割り当てられている。同様に、文章前半の主語に対して５点が割り当てられ、文章前半の非主語に対して３点が割り当てられ、文章後半の主語に対して４点が割り当てられ、文章後半の非主語に対して２点が割り当てられている。
【００４９】
一方、キーワードが記事内において４個以上の場合に、題名主語に対して９点が割り当てられ、題名非主語に対して７点が割り当てられ、文章前半の主語に対して７点が割り当てられ、文章前半の非主語に対して５点が割り当てられ、文章後半の主語に対して６点が割り当てられ、文章後半の非主語に対して４点が割り当てられている。このように、キーワードの個数に応じて重み付け値を変更させてもよい。
【００５０】
以上説明した本発明の好適な実施形態では、記事の重要度およびその記事に対するユーザの要求度に応じてその記事を配信情報に含めるか否かを判断しているため、有益な情報を検索してユーザに配信することができる。
【００５１】
なお、上述した実施形態は、あらゆる点で単なる例示にすぎず、本発明の範囲を限定するものではない。例えば、図１に示した情報配信装置１０に換えて、コンピュータを利用してもよい。つまり、情報配信装置１０として機能させるためのプログラムをコンピュータにインストールすることにより、そのコンピュータを情報処理装置１０として利用することも可能である。
【図面の簡単な説明】
【００５２】
【図１】本発明に係る情報配信システムの全体構成図である。
【図２】重要度の設定処理を説明するためのフローチャートである。
【図３】配信情報の生成処理を説明するためのフローチャートである。
【図４】要求度に対する重み付け処理を説明するためのフローチャートである。
【図５】ユーザプロファイルに示されたジャンルごとの優先度を示す図である。
【図６】ユーザプロファイルに示されたキーワードごとの優先度を示す図である。
【図７】キーワードの重み付け値を説明するための図である。
【図８】記事内容におけるキーワードの役割を説明するための図である。
【符号の説明】
【００５３】
１０  情報配信装置、１２  重要度設定部、１４  要求度設定部、１６  配信情報生成部、２０  情報提供装置。
【図１】
2005242882.tif 000003
【図２】
2005242882.tif 000004
【図３】
2005242882.tif 000005
【図４】
2005242882.tif 000006
【図５】
2005242882.tif 000007
【図６】
2005242882.tif 000008
【図７】
2005242882.tif 000009
【図８】
2005242882.tif 000010